(57)【要約】【課題】簡易に位置決め状態に積み重ねることができる画期的な錘体を提供する。【解決手段】正面部２と背面部３とに略同一模様を形成するようにして位置決め凸部５が設けられていて、この位置決め凸部５は、重ね合わせて使用する場合に、正面部２同士を重ね合わせても、又は背面部３同士を重ね合わせても、或いは正面部２と背面部３とを重ね合わせても、且つ、幅方向の中心線Ａと高さ方向の中心線Ｂとが交差する中心点Ｏを基準として他方に対して左右方向に９０°回転させた状態、又は１８０°回転させて上下反転させた状態にして重ね合わせても、他方の面部に設けられている位置決め凸部５と重ならず、且つ、他方の面部に設けられている位置決め凸部５と近接又は当接又は係合して他方を位置決めする位置に配置されている錘体。【選択図】図１
2019183424.tif 000002
【特許請求の範囲】
【請求項１】
単管パイプや支柱等の棒状部材を用いて構成される構造物の前記棒状部材を配設させることができる厚み方向に貫通する長溝部を有し、この長溝部内に前記棒状部材を配設させて設置させることで前記構造物を容易に移動しない状態にする錘体において、正面部と背面部との夫々に、複数の位置決め凸部が設けられていて、この位置決め凸部は、重ね合わせて使用する場合に、正面部同士を重ね合わせても、又は背面部同士を重ね合わせても、或いは正面部と背面部とを重ね合わせても、且つ、幅方向の中心線と高さ方向の中心線とが交差する中心点を基準として他方に対して左右方向に９０°回転させた状態、又は１８０°回転させて上下反転させた状態にして重ね合わせても、他方の面部に設けられている位置決め凸部と重ならず、且つ、他方の面部に設けられている位置決め凸部と近接又は当接又は係合して他方を位置決めするように形成配置されていることを特徴とする錘体。
【請求項２】
前記正面部に設けられる位置決め凸部が形成する模様と、前記正面部に設けられる位置決め凸部が形成する模様とが略同一模様になっていることを特徴とする請求項１記載の錘体。
【請求項３】
前記位置決め凸部は、重ね合わせて使用する場合に、正面部同士を重ね合わせても、又は背面部同士を重ね合わせても、或いは正面部と背面部とを重ね合わせても、且つ、幅方向の中心線と高さ方向の中心線とが交差する中心点を基準として他方に対して左右方向に９０°回転させた状態、又は１８０°回転させて上下変転させた状態にして重ね合わせても、他方の面部に設けられている一つ若しくは複数の位置決め凸部に挟み込まれた状態又は囲まれた状態になって位置決め状態となるように構成されていることを特徴とする請求項１，２のいずれか１項に記載の錘体。
【請求項４】
前記正面部及び前記背面部の夫々の幅方向の中心線と高さ方向の中心線とが交差する中心点を通る分割線により形成される右上分割領域部、右下分割領域部、左下分割領域部及び左上分割領域部、若しくは上側分割領域部、下側分割領域部、左側分割領域部及び右側分割領域部の四つの分割領域部のうち少なくとも三つの分割領域部に夫々前記位置決め凸部が配置されると共に、この各分割領域部に配置される前記位置決め凸部が、前記高さ方向の中心線、若しくは前記中心点を通り前記高さ方向の中心線に対して４５°の角度を成す４５°傾斜線のいずれかに近接又は当接状態に配置されていることを特徴とする請求項１〜３のいずれか１項に記載の錘体。
【請求項５】
前記右上分割領域部、前記右下分割領域部、前記左下分割領域部及び前記左上分割領域部、若しくは前記上側分割領域部、前記下側分割領域部、前記左側分割領域部及び前記右側分割領域部の四つの分割領域部に、夫々、前記位置決め凸部が配置されていることを特徴とする請求項４記載の錘体。
【請求項６】
前記右上分割領域部に設けられる位置決め凸部と、前記右下分割領域部に設けられる位置決め凸部と、前記左下分割領域部に設けられる位置決め凸部と、前記左上分割領域部に設けられる位置決め凸部、若しくは前記上側分割領域部に設けられる位置決め凸部と、前記下側分割領域部に設けられる位置決め凸部と、前記左側分割領域部に設けられる位置決め凸部と、前記右側分割領域部に設けられる位置決め凸部とは、前記中心点を基準とする回転対称の関係であることを特徴とする請求項４，５のいずれか１項に記載の錘体。
【発明の詳細な説明】
【技術分野】
【０００１】
本発明は、例えば単管パイプや支柱等の棒状部材を用いて構成される構造物に取り付けることで、この構造物を容易に移動しない状態にする錘体に関するものである。
【背景技術】
【０００２】
工事現場などの危険な箇所への立ち入りを禁止するために単管パイプで構成されるバリケードを設置する場合があるが、その際に、バリケードが強風などで倒れたり移動したりしないように、このバリケードの脚部間に架設されるパイプを跨ぐようにして錘体を設置することがある。
【０００３】
このような錘体において、従来、運搬時や収納時にきちんと位置決めして積み重ねることができるように、例えば特許文献１〜３のような表面に位置決め用のダボや凹凸部を設けたものが提案されている。
【先行技術文献】
【特許文献】
【０００４】
【特許文献１】特開２０１６−４４４０４号公報
【特許文献２】特開２０１２−８７５３１号公報
【特許文献３】特開２００２−２９４６４６号公報
【発明の概要】
【発明が解決しようとする課題】
【０００５】
しかしながら、上記に示した従来の錘体は、積み重ねる際、例えば、一方の表面と他方の裏面とを突き合わせるようにして重ね合わせる、或いは、積み重ねる錘体の向きを同じ向きに揃えて合わせるなどしないと、互いの位置決め部同士が係合せず、きちんと位置決め状態にして積み重ねることができないものであった。
【０００６】
そのため、積み重ねる際は、互いの位置決め部同士がきちんと係合し合うように、表裏面の向きを入れ替えたり、上下左右の向きを直したりして、錘体を所定の姿勢（状態）にしてから積み重ねる必要があったが、重量の重い錘体に対して、上述のような表裏面の向きを入れ替えたり、上下左右の向きを直したりする作業は、非常に厄介な作業であった。
【０００７】
本発明は、このような従来の錘体が有する問題に鑑みなされたもので、積み重ねる際に、一々、表裏面の向きを確認して、他方の錘体に対して位置決め係合するように表裏面の向きを所定の向きに合わせたり、上下左右の向きを揃えたりする必要がなく、簡易に位置決め状態に積み重ねることができる画期的な錘体を提供することを目的とする。
【課題を解決するための手段】
【０００８】
添付図面を参照して本発明の要旨を説明する。
【０００９】
単管パイプや支柱等の棒状部材を用いて構成される構造物10の前記棒状部材を配設させることができる厚み方向に貫通する長溝部４を有し、この長溝部４内に前記棒状部材を配設させて設置させることで前記構造物10を容易に移動しない状態にする錘体において、正面部２と背面部３との夫々に、複数の位置決め凸部５が設けられていて、この位置決め凸部５は、重ね合わせて使用する場合に、正面部２同士を重ね合わせても、又は背面部３同士を重ね合わせても、或いは正面部２と背面部３とを重ね合わせても、且つ、幅方向の中心線Ａと高さ方向の中心線Ｂとが交差する中心点Ｏを基準として他方に対して左右方向に９０°回転させた状態、又は１８０°回転させて上下反転させた状態にして重ね合わせても、他方の面部に設けられている位置決め凸部５と重ならず、且つ、他方の面部に設けられている位置決め凸部５と近接又は当接又は係合して他方を位置決めするように形成配置されていることを特徴とする錘体に係るものである。
【００１０】
また、前記正面部２に設けられる位置決め凸部５が形成する模様と、前記正面部３に設けられる位置決め凸部５が形成する模様とが略同一模様になっていることを特徴とする請求項１記載の錘体に係るものである。
【００１１】
また、前記位置決め凸部５は、重ね合わせて使用する場合に、正面部２同士を重ね合わせても、又は背面部３同士を重ね合わせても、或いは正面部２と背面部３とを重ね合わせても、且つ、幅方向の中心線Ａと高さ方向の中心線Ｂとが交差する中心点Ｏを基準として他方に対して左右方向に９０°回転させた状態、又は１８０°回転させて上下変転させた状態にして重ね合わせても、他方の面部に設けられている一つ若しくは複数の位置決め凸部５に挟み込まれた状態又は囲まれた状態になって位置決め状態となるように構成されていることを特徴とする請求項１，２のいずれか１項に記載の錘体に係るものである。
【００１２】
また、前記正面部２及び前記背面部３の夫々の幅方向の中心線Ａと高さ方向の中心線Ｂとが交差する中心点Ｏを通る分割線により形成される右上分割領域部Ｓ１、右下分割領域部Ｓ２、左下分割領域部Ｓ３及び左上分割領域部Ｓ４、若しくは上側分割領域部、下側分割領域部、左側分割領域部及び右側分割領域部の四つの分割領域部のうち少なくとも三つの分割領域部に夫々前記位置決め凸部５が配置されると共に、この各分割領域部に配置される前記位置決め凸部５が、前記高さ方向の中心線Ｂ、若しくは前記中心点Ｏを通り前記高さ方向の中心線Ｂに対して４５°の角度を成す４５°傾斜線Ｃのいずれかに近接又は当接状態に配置されていることを特徴とする請求項１〜３のいずれか１項に記載の錘体に係るものである。
【００１３】
また、前記右上分割領域部Ｓ１、前記右下分割領域部Ｓ２、前記左下分割領域部Ｓ３及び前記左上分割領域部Ｓ４、若しくは前記上側分割領域部、前記下側分割領域部、前記左側分割領域部及び前記右側分割領域部の四つの分割領域部に、夫々、前記位置決め凸部５が配置されていることを特徴とする請求項４記載の錘体に係るものである。
【００１４】
また、前記右上分割領域部Ｓ１に設けられる位置決め凸部５と、前記右下分割領域部Ｓ２に設けられる位置決め凸部５と、前記左下分割領域部Ｓ３に設けられる位置決め凸部５と、前記左上分割領域部Ｓ４に設けられる位置決め凸部５、若しくは前記上側分割領域部に設けられる位置決め凸部５と、前記下側分割領域部に設けられる位置決め凸部５と、前記左側分割領域部に設けられる位置決め凸部５と、前記右側分割領域部に設けられる位置決め凸部５とは、前記中心点Ｏを基準とする回転対称の関係であることを特徴とする請求項４，５のいずれか１項に記載の錘体に係るものである。
【発明の効果】
【００１５】
本発明は上述のように構成したから、積み重ねて使用する際に、一々、表裏面の向きを確認して、他方の錘体に対して位置決め係合するように表裏面の向きを所定の向きに合わせたり、上下左右の向きを揃えたりする必要がなく、簡易に位置決め状態に積み重ねることができる。
【図面の簡単な説明】
【００１６】
【図１】実施例１の錘体を示す斜視図である。
【図２】実施例１の錘体の正面図である。
【図３】実施例１の錘体の背面図である。
【図４】実施例１の位置決め凸部を形成配置する際の基となる位置決め凸部を示す説明図である。
【図５】実施例１の位置決め凸部を形成配置する際の基となる位置決め凸部の配置パターン図である。
【図６】実施例１の錘体同士を同じ向きで積み重ねた際の互いの位置決め凸部の状態を示す説明図である。
【図７】実施例１の錘体同士を異なる向き（上側の錘体を時計回りに９０°回転させた状態）で積み重ねた際の互いの位置決め凸部の状態を示す説明図である。
【図８】実施例１の錘体同士を異なる向き（上側の錘体を１８０°回転させた状態）で積み重ねた際の互いの位置決め凸部の状態を示す説明図である。
【図９】実施例１の錘体同士を異なる向き（上側の錘体を反時計回りに９０°回転させた状態）で積み重ねた際の互いの位置決め凸部の状態を示す説明図である。
【図１０】実施例１の錘体をバリケード用錘体として用いた際の使用状態を示す斜視図である。
【図１１】実施例１の錘体をテント用錘体として用いた際の使用状態を示す斜視図である。
【図１２】実施例１の錘体を積み重ねた状態を示す斜視図である。
【図１３】実施例２の錘体を示す斜視図である。
【図１４】実施例２の錘体の正面図である。
【図１５】実施例２の錘体の背面図である。
【図１６】実施例２の位置決め凸部を形成配置する際の基となる位置決め凸部の配置パターン図である。
【図１７】実施例２の位置決め凸部を形成配置する際の基となる位置決め凸部の配置パターン図である。
【図１８】実施例２の錘体同士を同じ向きで積み重ねた際の互いの位置決め凸部の状態を示す説明図である。
【図１９】実施例２の錘体同士を異なる向き（上側の錘体を時計回りに９０°回転させた状態）で積み重ねた際の互いの位置決め凸部の状態を示す説明図である。
【図２０】実施例２の錘体同士を異なる向き（上側の錘体を１８０°回転させた状態）で積み重ねた際の互いの位置決め凸部の状態を示す説明図である。
【図２１】実施例２の錘体同士を異なる向き（上側の錘体を反時計回りに９０°回転させた状態）で積み重ねた際の互いの位置決め凸部の状態を示す説明図である。
【図２２】実施例３の錘体を示す斜視図である。
【図２３】実施例３の錘体の正面図である。
【図２４】実施例３の錘体の背面図である。
【図２５】実施例３の錘体同士を同じ向きで積み重ねた際の互いの位置決め凸部の状態を示す説明図である。
【図２６】実施例３の錘体同士を異なる向き（上側の錘体を時計回りに９０°回転させた状態）で積み重ねた際の互いの位置決め凸部の状態を示す説明図である。
【図２７】実施例３の錘体同士を異なる向き（上側の錘体を１８０°回転させた状態）で積み重ねた際の互いの位置決め凸部の状態を示す説明図である。
【図２８】実施例３の錘体同士を異なる向き（上側の錘体を反時計回りに９０°回転させた状態）で積み重ねた際の互いの位置決め凸部の状態を示す説明図である。
【図２９】本発明における位置決め凸部の形成配置例を示す図である。
【図３０】本発明における位置決め凸部の形成配置例を示す図である。
【図３１】本発明における位置決め凸部の形成配置例を示す図である。
【図３２】本発明における位置決め凸部の形成配置例を示す図である。
【図３３】本発明における位置決め凸部の形成配置例を示す図である。
【図３４】本発明における位置決め凸部の形成配置例を示す図である。
【図３５】本発明における位置決め凸部の形成配置例を示す図である。
【図３６】本発明における位置決め凸部の形成配置例を示す図である。
【図３７】本発明における位置決め凸部の形成配置例を示す図である。
【図３８】本発明における位置決め凸部の形成配置例を示す図である。
【図３９】本発明における位置決め凸部の形成配置例を示す図である。
【図４０】本発明における位置決め凸部の形成配置例を示す図である。
【発明を実施するための形態】
【００１７】
好適と考える本発明の実施形態を、図面に基づいて本発明の作用を示して簡単に説明する。
【００１８】
本発明は、本発明の錘体１同士を正面部２及び背面部３が上下方向に位置する倒伏状態（即ち水平に倒伏させた状態）にして積み重ねた状態で使用する（重ね合わせて使用する）或いは積み重ねて（重ね合わせて）収納する際、上下左右方向に位置ずれた不安定な状態に積み重ねられることがなく、容易に安定した整列状態で積み重ねることができるように、また、この積み重ねた状態が容易に位置ずれしないように、錘体１同士を位置決めする位置決め凸部５が、正面部２と背面部３との夫々に設けられている。
【００１９】
また、この正面部２及び背面部３に設けられる位置決め凸部５は、複数の錘体１を積み重ねて使用する、或いは積み重ねて収納する場合に、錘体１の正面部２同士を重ね合わせても、又は錘体１の背面部３同士を重ね合わせても、或いは一方の錘体１の正面部２と他方の錘体１の背面部３とを重ね合わせても、且つ、幅方向の中心線Ａと高さ方向の中心線Ｂとが交差する中心点Ｏを基準として他方の錘体１に対して左右方向に９０°回転させた状態、または１８０°回転させて上下反転させた状態にして重ね合わせても、他方の錘体１の面部（正面部２又は背面部３）に設けられている位置決め凸部５と重ならず、且つ、他方の錘体１の面部（正面部２又は背面部３）に設けられている位置決め凸部５と近接又は当接又は係合して他方を位置決めする位置に配置されている。
【００２０】
具体的には、本発明において、位置決め凸部５を上述のような位置に配置するには、例えば、以下のような方法（手順）により配置することができる。
【００２１】
［手順１］
正面部２（背面部３）の中心点Ｏ（幅方向の中心線Ａと高さ方向の中心線Ｂとが交差する点）を基準に回転角数（３６０°／回転角度）だけ分割した分割領域部を形成する。
【００２２】
例えば、１８０°回転させた状態（上下反転させた状態）でも積み重ねることができるようにする場合は、３６０°／１８０°＝２となり、正面部２（背面部３）を二分割した分割領域部、例えば、幅方向の中心線Ａを分割線とした右側分割領域部Ｓ１、左側分割領域部Ｓ２の二つの分割領域部（高さ方向の中心線Ｂを分割線とした上側分割領域部、下側分割領域部の二つの分割領域部でも良い）を形成し、また、例えば、左右いずれかに９０°、又は１８０°回転させた状態（即ち、９０°、１８０°、２７０°回転させたいずれの状態）でも積み重ねることができるようにする場合は、３６０°／９０°＝４となり、正面部２（背面部３）を四分割した領域、例えば幅方向の中心線Ａと高さ方向の中心線Ｂを分割線とした右上分割領域部Ｓ１、右下分割領域部Ｓ２、左下分割領域部Ｓ３、左上分割領域部Ｓ４の四つの分割領域部（中心点Ｏを通り左方向に４５°傾斜する傾斜線と右方向に４５°傾斜する傾斜線を分割とした上側分割領域部、下側分割領域部、左側分割領域部、右側分割領域部の四つの分割領域部でも良い）を形成する。
【００２３】
［手順２］
手順１で形成した分割領域部のうちの一つの分割領域部を、中心点Ｏを通る回転角度の半分の角度の分割線により二分割する。
【００２４】
例えば、１８０°回転させた状態（上下反転させた状態）でも積み重ねることができるようにする場合は、右側分割領域部Ｓ１、左側分割領域部Ｓ２の一方、例えば、右側分割領域部Ｓ１を、中心点Ｏを通る９０°の分割線、即ち高さ方向の中心線Ｂにより二分割し、また、例えば、左右いずれかに９０°、又は１８０°回転させた状態でも積み重ねることができるようにする場合は、右上分割領域部Ｓ１、右下分割領域部Ｓ２、左下分割領域部Ｓ３及び左上分割領域部Ｓ４のいずれか、例えば、右上分割領域部Ｓ１を、中心点Ｏを通る４５°の分割線（４５°傾斜線Ｃ）により二分割して半分領域部Ｈを二つ形成する。
【００２５】
［手順３］
手順２で形成した半分領域部Ｈの夫々に、前記分割線を基準にして半分領域部Ｈ同士を重ね合わせたときに、互いに重ならない位置で、且つ、所定の配置条件を満たすようにして位置決め凸部５を配置する。
【００２６】
具体的には、例えば、１８０°回転させた状態（上下反転させた状態）でも積み重ねることができるようにする場合は、例えば、図２９に示すように少なくとも一方の半分領域部Ｈに配置する位置決め凸部５を分割線（高さ方向の中心線Ｂ）に近接又は当接状態となるように配置すると共に、前記分割線を基準にして半分領域部Ｈ同士を重ね合わせたときに互いに左右方向に近接又は当接状態となる（互いの垂直辺部同士が近接又は当接状態となる）ように位置決め凸部５を配置する、又は、図３０に示すように前記分割線を基準にして半分領域部Ｈ同士を重ね合わせたときに、一方の半分領域部Ｈに配置される位置決め凸部５の垂直辺部と他方の半分領域部Ｈに配置される位置決め凸部５の垂直辺部とが近接又は当接状態となると共に、一方の半分領域部Ｈに配置される位置決め凸部５の水平辺部と他方の半分領域部Ｈに配置される位置決め凸部５の水平辺部とが近接又は当接状態となるように位置決め凸部５を配置する、又は、図３１，３２に示すように前記分割線を基準にして半分領域部Ｈ同士を重ね合わせたときに、一方の半分領域部Ｈに配置される位置決め凸部５の斜辺部と他方の半分領域部Ｈに配置される位置決め凸部５の斜辺部とが近接又は当接状態となるように配置する、又は、図３３に示すように前記分割線を基準にして半分領域部Ｈ同士を重ね合わせたときに、一方の半分領域部Ｈに配置される位置決め凸部５を、他方の半分領域部Ｈに配置される位置決め凸部５が近接又は当接状態で囲むように配置する。
【００２７】
また、例えば、左右いずれかに９０°、又は１８０°回転させた状態（即ち９０°回転させた状態、１８０°回転させた状態、２７０°回転させた状態のいずれの状態）でも積み重ねることができるようにする場合は、例えば、図３４〜３６に示すように一方の半分領域部Ｈに配置する位置決め凸部５を幅方向の中心線Ａ又は高さ方向の中心線Ｂに近接又は当接状態となるように配置すると共に、分割線（中心点Ｏを通る４５°傾斜線Ｃ）を基準にして半分領域部Ｈ同士を重ね合わせたときに互いに近接又は当接状態となるように位置決め凸部５を配置する、又は、図３７に示すように前記分割線を基準にして半分領域部Ｈ同士を重ね合わせたときに（重ね合わせた状態において）、一方の半分領域部Ｈに配置される位置決め凸部５の垂直辺部と他方の半分領域部Ｈに配置される位置決め凸部５の垂直辺部とが近接又は当接状態となると共に、一方の半分領域部Ｈに配置される位置決め凸部５の水平辺部と他方の半分領域部Ｈに配置される位置決め凸部５の水平辺部とが近接又は当接状態となるように位置決め凸部５を配置する、又は、図３８に示すように少なくとも一方の半分領域部Ｈに配置する位置決め凸部５の少なくとも一つを分割線（中心点Ｏを通る４５°傾斜線Ｃ）に近接又は当接状態となるように配置する、又は、図３９に示すように前記分割線を基準にして半分領域部Ｈ同士を重ね合わせたときに、一方の半分領域部Ｈに配置される位置決め凸部５の斜辺部と他方の半分領域部Ｈに配置される位置決め凸部５の斜辺部とが近接又は当接状態となるように配置する、又は、図４０に示すように前記分割線を基準にして半分領域部Ｈ同士を重ね合わせたときに、一方の半分領域部Ｈに配置される位置決め凸部５を、他方の半分領域部Ｈに配置される位置決め凸部５が近接又は当接状態で囲むように配置する。
【００２８】
［手順４］
手順３で一方の分割領域部に形成した（一つの分割領域部に形成した）位置決め凸部５を、中心点Ｏを基準に回転角度毎にパターンを回転させて他方の分割領域部（他の分割領域部）に回転対称となるように位置決め凸部５を配置し完成となる。
【００２９】
具体的には、例えば、１８０°回転させた状態（上下反転させた状態）でも積み重ねることができるようにする場合は、図２９〜３３に示すように右側分割領域部Ｓ１に形成した位置決め凸部５を、中心点Ｏを基準に１８０°回転させた状態で左側分割領域部Ｓ２に配置する。
【００３０】
また、例えば、左右いずれかに９０°、又は１８０°回転させた状態（９０°回転させた状態、１８０°回転させた状態、２７０°回転させた状態のいずれの状態）でも積み重ねることができるようにする場合は、図３４〜４０に示すように右上分割領域部Ｓ１に形成した位置決め凸部５を、右下分割領域部Ｓ２には中心点Ｏを基準に時計回りに９０°回転させた状態で、また、左下分割領域部Ｓ３には１８０°回転させた状態で、また、左上分割領域部Ｓ４には２７０°回転させた状態で夫々配置して、各分割領域部に配置される位置決め凸部５が互いに回転対称の関係となるように配置する。
【００３１】
本発明は、このようにして正面部２及び背面部３に夫々略同一模様を形成するように（略同一パターンに）位置決め凸部５を配置することで、錘体１を重ね合わせる（積み重ねる）際に、錘体１同士の正面部２同士を合わせても、背面部３同士を合わせても、正面部２と背面部３を合わせても、他方の面部に設けられる位置決め凸部５に重なることなく互いの位置決め凸部５が近接又は当接又は係合した状態となって位置決め状態で重ね合わせることができ、しかも、本発明は、更に、下側の錘体１に対して上側の錘体１を異なる向き、例えば、下側の錘体１に対して１８０°回転させた上下反転状態にしても、或いは、下側の錘体１に対して左右いずれかの方向に９０°回転させた状態にしても、他方の面部に設けられる位置決め凸部５に重なることなく互いの位置決め凸部５が近接又は当接又は係合した状態となって位置決め状態で重ね合わせることができる。
【００３２】
従って、本発明は、積み重ねて使用する際に、一々、表裏面の向きを確認して、他方の錘体１に対して位置決め係合するように表裏面の向きを所定の向きに合わせたり、他方（下側）の錘体１に対して上下左右の向きを揃えたりする必要がなく、簡易に位置決め状態に積み重ねることができる実用性に優れた画期的な錘体となる。
【実施例１】
【００３３】
本発明の具体的な実施例１について図１〜１２に基づいて説明する。
【００３４】
本実施例は、本発明の錘体を単管パイプで構成されるバリケード10を安定設置する際に用いるバリケード用錘に構成した場合である。
【００３５】
具体的には、本実施例は、図１に示すように正面視略方形状の立設可能なブロック状に形成され、上部側に把持部６を備え、また、幅方向中央部には下端部から上方に向かう縦長状で厚み方向に貫通する縦長溝部４が形成されていて、図１０に示すようにこの縦長溝部４内にバリケード10の脚部間に架設される単管パイプ10ａを配設させて設置することで、バリケード10を容易に移動しない状態（安定設置状態）にすることができるように構成されている。
【００３６】
また、本実施例は、正面部２と背面部３とに夫々位置決め凸部５が設けられていて、この位置決め凸部５により錘体１同士を積み重ねる際に位置決め状態で積み重ねることができるように構成されている。
【００３７】
この正面部２及び背面部３に設けられる位置決め凸部５は、図２，３に示すように正面部２と背面部３との夫々に略同一模様を形成するようにして（略同一パターンに）配置されると共に、錘体１同士を積み重ねる場合に、夫々の錘体１の正面部２同士を重ね合わせても、又は背面部３同士を重ね合わせても、或いは一方の錘体１の正面部２と他方の錘体１の背面部３とを重ね合わせても、且つ、幅方向の中心線Ａと高さ方向の中心線Ｂとが交差する中心点Ｏを基準として他方の錘体１に対して左右方向に９０°回転させた状態、又は１８０°回転させて上下反転させた状態にして重ね合わせても、他方の錘体１の面部に設けられている位置決め凸部５と重ならず、更に他方の錘体１の面部に設けられている位置決め凸部５と近接又は当接又は係合して他方の錘体１を位置決めするように形成配置されている。
【００３８】
具体的には、本実施例は、正面部２及び背面部３の夫々に、各面部の中心点Ｏを通る幅方向の中心線Ａと高さ方向の中心線Ｂとを分割線として形成される右上分割領域部Ｓ１、右下分割領域部Ｓ２、左下分割領域部Ｓ３及び左上分割領域部Ｓ４の四つの分割領域部が形成されていて、図２，３に示すように正面部２及び背面部３の夫々の右上分割領域部Ｓ１に位置決め凸部５ａ及び位置決め凸部５ｂが形成配置され、右下分割領域部Ｓ２に位置決め凸部５ｃ及び位置決め凸部５ｄが形成配置され、左下分割領域部Ｓ３に位置決め凸部５ｅ及び位置決め凸部５ｆが形成配置され、左上分割領域部Ｓ４に位置決め凸部５ｇが形成配置されている。
【００３９】
この各分割領域部に形成配置される位置決め凸部５ａ〜位置決め凸部５ｇは、図５に示すような位置決め凸部５Ａ１，５Ａ２，５Ａ３，５Ａ４，５Ｂ１，５Ｂ２，５Ｂ３，５Ｂ４が基になっており、この位置決め凸部５Ａ１〜位置決め凸部５Ｂ４は、図４に示す位置決め凸部５Ａ及び位置決め凸部５Ｂを基とし、夫々が回転対称形となっている。
【００４０】
具体的には、位置決め凸部５Ａ２は位置決め凸部５Ａを時計回りに９０°回転させたものであり、位置決め凸部５Ｂ２は位置決め凸部５Ｂを時計回りに９０°回転させたものである。また、位置決め凸部５Ａ３は位置決め凸部５Ａを時計回りに１８０°回転させたものであり、位置決め凸部５Ｂ３は位置決め凸部５Ｂを時計回りに１８０°回転させたものである。また、位置決め凸部５Ａ４は位置決め凸部５Ａを時計回りに２７０°（反時計回りに９０°）回転させたものであり、位置決め凸部５Ｂ４は位置決め凸部５Ｂを時計回りに２７０°（反時計回りに９０°）回転させたものである。
【００４１】
また、この位置決め凸部５Ａ及び位置決め凸部５Ｂは、図４に示すように中心点Ｏを通る回転角度の半分の角度、即ち４５°の分割線（４５°傾斜線Ｃ）により二分割して形成される半分領域部Ｈの夫々に、前記分割線（４５°傾斜線Ｃ）を基準にして半分領域部Ｈ同士を重ね合わせたときに、互いに重ならない位置に配置形成されていて、且つ、位置決め凸部５Ａは幅方向の中心線Ａに近接又は当接状態となるように配置され、位置決め凸部５Ｂは高さ方向の中心線Ｂに近接又は当接状態となるように配置され、尚且つ、この位置決め凸部５Ａ及び位置決め凸部５Ｂは、分割線（中心点Ｏを通る４５°傾斜線Ｃ）を基準にして半分領域部Ｈ同士を重ね合わせたときに互いに近接又は当接状態となるように配置されている。
【００４２】
位置決め凸部５Ａ，位置決め凸部５Ｂをこのように形成配置し、更にこの位置決め凸部５Ａ，位置決め凸部５Ｂを基として右上分割領域部Ｓ１〜左上分割領域部Ｓ４の四つの分割領域部に夫々回転対称形に位置決め凸部５Ａ１〜位置決め凸部５Ｂ４を形成配置することで、前述したように、錘体１同士を積み重ねる場合に、幅方向の中心線Ａと高さ方向の中心線Ｂとが交差する中心点Ｏを基準として他方の錘体１に対して左右方向に９０°回転させた状態、又は１８０°回転させて上下反転させた状態にして重ね合わせても、他方の錘体１の面部に設けられている位置決め凸部５と重ならず、更に他方の錘体１の面部に設けられている位置決め凸部５と近接又は当接又は係合して他方の錘体１を位置決めすることができ、本実施例の位置決め凸部５（位置決め凸部５ａ〜位置決め凸部５ｇ）は、この位置決め凸部５Ａ１〜位置決め凸部５Ｂ４に基づいて、縦長溝部４に掛かる部分や把持部６に掛かる部分、或いは、外周縁部に掛かる部分をカットした形状に形成されて配置されることで、図６〜９に示すように一方の錘体１に対して時計回りに９０°回転させた向きで積み重ねても（重ね合わせても）、また、１８０°回転させた向き、即ち上下を反転させた状態で積み重ねても（重ね合わせても）、更には、時計回りに２７０°回転させた向き（反時計回りに９０°回転させた向き）で積み重ねても（重ね合わせても）、一方の錘体１の位置決め凸部５と他方の錘体１の位置決め凸部５が、互いに重なることなく、互いに近接又は当接又は係合しあって位置決め状態になる。
【００４３】
以上のように構成される本実施例は、上述のとおり他方の錘体１に対して異なる向きで積み重ねても位置決め状態に積み重ねることができるので、バリケード用の錘体１としてだけでなく、例えば、図１１に示すようなテント用の錘体１としても使用することができ、本実施例の錘体１をテント用として用いた場合、積み重ねる錘体１の向きを異ならせてテントの支柱が縦長溝部４から抜け外れないように取り付けることができるので、テントをより安定的な設置状態にすることができ、また、図１２に示すように高く積み重ねた状態で収納する際も、積み重ねる際に正面部２、背面部３の向きを気にする必要がなく、また、錘体１の向きも気にする必要がないので、簡易に位置決め状態に積み重ねることができる、しかも、互いに位置決めされるので積み重ね状態が安定する極めて実用性に優れた画期的な錘体となる。
【実施例２】
【００４４】
本発明の具体的な実施例２について図１３〜２１に基づいて説明する。
【００４５】
本実施例は、図１３に示すように実施例１における位置決め凸部５の別パターン例である。
【００４６】
具体的には、本実施例は、正面部２及び背面部３の夫々に、各面部の中心点Ｏを通る幅方向の中心線Ａと高さ方向の中心線Ｂとを分割線として形成される右上分割領域部Ｓ１、右下分割領域部Ｓ２、左下分割領域部Ｓ３及び左上分割領域部Ｓ４の四つの分割領域部が形成されていて、図１４，１５に示すように正面部２及び背面部３の夫々の右上分割領域部Ｓ１に位置決め凸部５ｈ、位置決め凸部５ｉ及び位置決め凸部５ｊが形成配置され、右下分割領域部Ｓ２に位置決め凸部５ｋ、位置決め凸部５ｌ及び位置決め凸部５ｍが形成配置され、左下分割領域部Ｓ３に位置決め凸部５ｎ、位置決め凸部５ｏ及び位置決め凸部５ｐが形成配置され、左上分割領域部Ｓ４に位置決め凸部５ｑ及び位置決め凸部５ｒが形成配置されている。
【００４７】
この各分割領域部に形成配置される位置決め凸部５ｈ〜位置決め凸部５ｒは、図１７に示すような位置決め凸部５Ａ１，５Ａ２，５Ａ３，５Ａ４，５Ｂ１，５Ｂ２，５Ｂ３，５Ｂ４，５Ｃ１，５Ｃ２，５Ｃ３，５Ｃ４が基になっており、この位置決め凸部５Ａ１〜位置決め凸部５Ｃ４は、図１６に示す位置決め凸部５Ａ、位置決め凸部５Ｂ及び位置決め凸部５Ｃを基とし、夫々が回転対称形となっている。
【００４８】
具体的には、位置決め凸部５Ａ２は位置決め凸部５Ａを時計回りに９０°回転させたものであり、位置決め凸部５Ｂ２は位置決め凸部５Ｂを時計回りに９０°回転させたものであり、位置決め凸部５Ｃ２は位置決め凸部５Ｃを時計回りに９０°回転させたものである。また、位置決め凸部５Ａ３は位置決め凸部５Ａを時計回りに１８０°回転させたものであり、位置決め凸部５Ｂ３は位置決め凸部５Ｂを時計回りに１８０°回転させたものであり、位置決め凸部５Ｃ３は位置決め凸部５Ｃを時計回りに１８０°回転させたものである。また、位置決め凸部５Ａ４は位置決め凸部５Ａを時計回りに２７０°（反時計回りに９０°）回転させたものであり、位置決め凸部５Ｂ４は位置決め凸部５Ｂを時計回りに２７０°（反時計回りに９０°）回転させたものであり、位置決め凸部５Ｃ４は位置決め凸部５Ｃを時計回りに２７０°（反時計回りに９０°）回転させたものである。
【００４９】
また、この位置決め凸部５Ａ、位置決め凸部５Ｂ及び位置決め凸部５Ｃは、図１６に示すように中心点Ｏを通る回転角度の半分の角度、即ち４５°の分割線（４５°傾斜線Ｃ）により二分割して形成される半分領域部Ｈの夫々に、前記分割線（４５°傾斜線Ｃ）を基準にして半分領域部Ｈ同士を重ね合わせたときに、互いに重ならない位置に配置形成されていて、且つ、位置決め凸部５Ａは幅方向の中心線Ａに近接又は当接状態となるように配置され、位置決め凸部５Ｂ及び位置決め凸部５Ｃは高さ方向の中心線Ｂに近接又は当接状態となるように配置され、尚且つこの位置決め凸部５Ａと位置決め凸部５Ｂ及び位置決め凸部５Ｂと位置決め凸部５Ｃは、分割線（中心点Ｏを通る４５°傾斜線Ｃ）を基準にして半分領域部Ｈ同士を重ね合わせたときに互いに近接又は当接状態となるように配置されている。
【００５０】
位置決め凸部５Ａ、位置決め凸部５Ｂ及び位置決め凸部５Ｃをこのように形成配置し、更にこの位置決め凸部５Ａ、位置決め凸部５Ｂ及び位置決め凸部５Ｃを基として右上分割領域部Ｓ１〜左上分割領域部Ｓ４の四つの分割領域部に夫々回転対称形に位置決め凸部５Ａ１〜位置決め凸部５Ｃ４を形成配置することで、前述したように、錘体１同士を積み重ねる場合に、幅方向の中心線Ａと高さ方向の中心線Ｂとが交差する中心点Ｏを基準として他方の錘体１に対して左右方向に９０°回転させた状態、又は１８０°回転させて上下反転させた状態にして重ね合わせても、他方の錘体１の面部に設けられている位置決め凸部５と重ならず、更に他方の錘体１の面部に設けられている位置決め凸部５と近接又は当接又は係合して他方の錘体１を位置決めすることができ、本実施例の位置決め凸部５（位置決め凸部５ｈ〜位置決め凸部５ｒ）は、この位置決め凸部５Ａ１〜位置決め凸部５Ｃ４に基づいて、縦長溝部４に掛かる部分や把持部６に掛かる部分、或いは、外周縁部に掛かる部分をカットした形状に形成されて配置されることで、図１８〜２１に示すように一方の錘体１に対して時計回りに９０°回転させた向きで積み重ねても（重ね合わせても）、また、１８０°回転させた向き、即ち上下を反転させた状態で積み重ねても（重ね合わせても）、更には、時計回りに２７０°回転させた向き（反時計回りに９０°回転させた向き）で積み重ねても（重ね合わせても）、一方の錘体１の位置決め凸部５と他方の錘体１の位置決め凸部５が互いに重なることなく、且つ互いに近接又は当接又は係合しあって位置決め状態になる。
【００５１】
その余の構成は実施例１と同様である。
【実施例３】
【００５２】
本発明の具体的な実施例３について図２２〜２８に基づいて説明する。
【００５３】
本実施例は、図２２に示すように実施例１における位置決め凸部５の別パターン例である。
【００５４】
具体的には、本実施例は、正面部２及び背面部３の夫々に、各面部の中心点Ｏを通る幅方向の中心線Ａと高さ方向の中心線Ｂとを分割線として形成される右上分割領域部Ｓ１、右下分割領域部Ｓ２、左下分割領域部Ｓ３及び左上分割領域部Ｓ４の四つの分割領域部が形成されていて、図２３，２４に示すように正面部２及び背面部３の夫々の右上分割領域部Ｓ１に位置決め凸部５ｓ及び位置決め凸部５ｔが形成配置され、右下分割領域部Ｓ２に位置決め凸部５ｕ及び位置決め凸部５ｖが形成配置され、左下分割領域部Ｓ３に位置決め凸部５ｗ及び位置決め凸部５ｘが形成配置され、左上分割領域部Ｓ４に位置決め凸部５ｙ及び位置決め凸部５ｚが形成配置されている。
【００５５】
具体的には、位置決め凸部５ｕは位置決め凸部５ｓを時計回りに９０°回転させたものであり、位置決め凸部５ｖは位置決め凸部５ｔを時計回りに９０°回転させたものである。また、位置決め凸部５ｗは位置決め凸部５ｓを時計回りに１８０°回転させたものであり、位置決め凸部５ｘは位置決め凸部５ｔを時計回りに１８０°回転させたものである。また、位置決め凸部５ｚは位置決め凸部５ｓを時計回りに２７０°（反時計回りに９０°）回転させたものであり、位置決め凸部５ｚは位置決め凸部５ｔを時計回りに２７０°（反時計回りに９０°）回転させたものである。
【００５６】
また、この位置決め凸部５ｓ及び位置決め凸部５ｔは、図２３，２４に示すように中心点Ｏを通る回転角度の半分の角度、即ち４５°の分割線（４５°傾斜線Ｃ）により二分割して形成される半分領域部Ｈの夫々に、前記分割線（４５°傾斜線Ｃ）を基準にして半分領域部Ｈ同士を重ね合わせたときに、互いに重ならない位置に配置形成されていて、且つ、この位置決め凸部５ｓと位置決め凸部５ｔは、分割線（中心点Ｏを通る４５°傾斜線Ｃ）を基準にして半分領域部Ｈ同士を重ね合わせたときに位置決め凸部５ｔが位置決め凸部５ｓを近接又は当接状態で囲むように配置されている。
【００５７】
これにより、本実施例は、図２５〜２８に示すように一方の錘体１に対して時計回りに９０°回転させた向きで積み重ねても（重ね合わせても）、また、１８０°回転させた向き、即ち上下を反転させた状態で積み重ねても（重ね合わせても）、更には、時計回りに２７０°回転させた向き（反時計回りに９０°回転させた向き）で積み重ねても（重ね合わせても）、一方の錘体１の位置決め凸部５と他方の錘体１の位置決め凸部５が互いに重なることなく、且つ互いに近接又は当接又は係合しあって位置決め状態になる。
【００５８】
その余の構成は実施例１と同様である。
【００５９】
尚、本発明は、実施例１〜３に限られるものではなく、各構成要件の具体的構成は適宜設計し得るものである。
【符号の説明】
【００６０】
２  正面部
３  背面部
４  長溝部
５  位置決め凸部
10  構造物
Ａ  幅方向の中心線
Ｂ  高さ方向の中心線
Ｃ  ４５°傾斜線
Ｏ  中心点
Ｓ１  右上分割領域部
Ｓ２  右下分割領域部
Ｓ３  左下分割領域部
Ｓ４  左上分割領域部
【図１】
2019183424.tif 000003
【図２】
2019183424.tif 000004
【図３】
2019183424.tif 000005
【図４】
2019183424.tif 000006
【図５】
2019183424.tif 000007
【図６】
2019183424.tif 000008
【図７】
2019183424.tif 000009
【図８】
2019183424.tif 000010
【図９】
2019183424.tif 000011
【図１０】
2019183424.tif 000012
【図１１】
2019183424.tif 000013
【図１２】
2019183424.tif 000014
【図１３】
2019183424.tif 000015
【図１４】
2019183424.tif 000016
【図１５】
2019183424.tif 000017
【図１６】
2019183424.tif 000018
【図１７】
2019183424.tif 000019
【図１８】
2019183424.tif 000020
【図１９】
2019183424.tif 000021
【図２０】
2019183424.tif 000022
【図２１】
2019183424.tif 000023
【図２２】
2019183424.tif 000024
【図２３】
2019183424.tif 000025
【図２４】
2019183424.tif 000026
【図２５】
2019183424.tif 000027
【図２６】
2019183424.tif 000028
【図２７】
2019183424.tif 000029
【図２８】
2019183424.tif 000030
【図２９】
2019183424.tif 000031
【図３０】
2019183424.tif 000032
【図３１】
2019183424.tif 000033
【図３２】
2019183424.tif 000034
【図３３】
2019183424.tif 000035
【図３４】
2019183424.tif 000036
【図３５】
2019183424.tif 000037
【図３６】
2019183424.tif 000038
【図３７】
2019183424.tif 000039
【図３８】
2019183424.tif 000040
【図３９】
2019183424.tif 000041
【図４０】
2019183424.tif 000042